(57)【要約】【課題】極めて簡単な構造として、しかも歯車のように異物や指等を挟まない構造として、扉体をスムーズに開閉する。【解決手段】蝶番は、第１の連結具２と第２の連結具３からなる２つの連結具でもって、折曲面内で回動できるように第１の本体１Ａと第２の本体１Ｂを連結している。第１の連結具２は、一端を第１の本体１Ａに、他端を第２の本体１Ｂに連結軸４を介して連結している。第２の連結具３は、一端を第１の本体１Ａに、他端を第２の本体１Ｂに連結軸５を介して連結している。第１の連結具２と第２の連結具３は、互いに干渉することなく連結軸４、５の軸方向にずれて配置している。第１の連結具２と第２の連結具３は、第１の本体１Ａと第２の本体１Ｂの折曲面内の異なる位置に連結して、第１の本体１Ａと第２の本体１Ｂを少なくとも互いに平行な姿勢から直線状に配置される姿勢まで方向を１８０度変化できるように連結している。【選択図】図１０
2006241762.tif 000002
【特許請求の範囲】
【請求項１】
第１の連結具(2)と第２の連結具(3)からなる２つの連結具を介して、相対的に折曲できるように第１の本体(1A)と第２の本体(1B)を連結しており、
第１の連結具(2)は、折曲される面内で回動できるように一端を第１の本体(1A)に、他端を第２の本体(1B)に連結軸(4)を介して連結しており、第２の連結具(3)は、折曲される面内で回動できるように一端を第１の本体(1A)に、他端を第２の本体(1B)に連結軸(5)を介して連結しており、
第１の連結具(2)と第２の連結具(3)は、互いに干渉することなく連結軸(4)、(5)の軸方向にずれて配置され、かつ、第１の連結具(2)と第２の連結具(3)は、第１の本体(1A)と第２の本体(1B)の折曲面内の異なる位置に連結して、第１の本体(1A)と第２の本体(1B)を、少なくとも互いに平行な姿勢から直線状に配置される姿勢まで方向を１８０度変化できるように連結しており、
第１の連結具(2)と第２の連結具(3)からなる２つの連結具でもって、折曲面内で回動できるように第１の本体(1A)と第２の本体(1B)を連結している蝶番。
【請求項２】
第１の連結具(2)を第１の本体(1A)と第２の本体(1B)の幅方向の中央に連結して、第２の連結具(3)を第１の連結具(2)の連結軸(4)から半径方向にずれた位置に連結している請求項１に記載される蝶番。
【請求項３】
第１の本体(1A)と第２の本体(1B)を直線状とする状態で、第１の連結具(2)と第２の連結具(3)が交差するように第１の本体(1A)と第２の本体(1B)に連結している請求項１に記載される蝶番。
【請求項４】
第１の本体(1A)と第２の本体(1B)が中間にスリット(8)を有し、このスリット(8)内に第１の連結具(2)と第２の連結具(3)を配設している請求項１に記載される蝶番。
【請求項５】
スリット(8)の開口部に、第１の本体(1A)と第２の本体(1B)の折曲角を制限するストッパ(12)を設けている請求項４に記載される蝶番。
【請求項６】
第１の連結具(2)と第２の連結具(3)が、板状のロッドである請求項１に記載される蝶番。
【請求項７】
第１の連結具(2)が、連結軸(4)を介して第１の本体(1A)と第２の本体(1B)に連結される連結プレート部(2A)の外周に沿って周壁(2B)を設けており、この周壁(2B)の内側を収納凹部(2C)として、この収納凹部(2C)に第２の連結具(3)を配設している請求項１に記載される蝶番。
【請求項８】
第１の連結具(2)が、連結軸(4)を介して第１の本体(1A)と第２の本体(1B)に連結される連結プレート部(2A)の外周に沿って周壁(2B)を設けており、この周壁(2B)の外周形状を、第１の本体(1A)と第２の本体(1B)の連結部の表面に沿う形状としている請求項１に記載される蝶番。
【請求項９】
第１の連結具(2)の外周形状を、２つの円形を外周で連結してなる形状とすると共に、第１の本体(1A)と第２の本体(1B)の中間にスリット(8)を設けており、このスリット(8)が第１の連結具(2)の周壁(2B)と対向する部分を、周壁(2B)の外周に沿う形状の凹部(8A)としている請求項７または８に記載される蝶番。
【請求項１０】
蝶番(10)を介して複数の扉体(20)を折曲できるように連結している折れ戸であって、蝶番(10)が第１の連結具(2)と第２の連結具(3)からなる２つの連結具を介して、相対的に折曲できるように第１の本体(1A)と第２の本体(1B)を連結しており、
第１の連結具(2)は、折曲される面内で回動できるように一端を第１の本体(1A)に、他端を第２の本体(1B)に連結軸(4)を介して連結しており、第２の連結具(3)は、折曲される面内で回動できるように一端を第１の本体(1A)に、他端を第２の本体(1B)に連結軸(5)を介して連結しており、
第１の連結具(2)と第２の連結具(3)は、互いに干渉することなく連結軸(4)、(5)の軸方向にずれて配置され、かつ、第１の連結具(2)と第２の連結具(3)は、第１の本体(1A)と第２の本体(1B)の折曲面内の異なる位置に連結して、第１の本体(1A)と第２の本体(1B)を、少なくとも互いに平行な姿勢から直線状に配置される姿勢まで方向を１８０度変化できるように連結しており、
第１の連結具(2)と第２の連結具(3)からなる２つの連結具でもって、折曲面内で回動できるように第１の本体(1A)と第２の本体(1B)を連結している折れ戸。
【請求項１１】
蝶番(10)が、第１の連結具(2)を第１の本体(1A)と第２の本体(1B)の幅方向の中央に連結して、第２の連結具(3)を第１の連結具(2)の連結軸(4)から半径方向にずれた位置に連結している請求項１０に記載される折れ戸。
【請求項１２】
蝶番(10)が、第１の本体(1A)と第２の本体(1B)を直線状とする状態で、第１の連結具(2)と第２の連結具(3)が交差するように第１の本体(1A)と第２の本体(1B)に連結している請求項１０に記載される折れ戸。
【請求項１３】
蝶番(10)が、第１の本体(1A)と第２の本体(1B)が中間にスリット(8)を有し、このスリット(8)内に第１の連結具(2)と第２の連結具(3)を配設している請求項１０に記載される折れ戸。
【請求項１４】
蝶番(10)が、スリット(8)の開口部に、第１の本体(1A)と第２の本体(1B)の折曲角を制限するストッパ(12)を設けている請求項１３に記載される折れ戸。
【請求項１５】
蝶番(10)が、第１の連結具(2)と第２の連結具(3)を、板状のロッドとしている請求項１０に記載される折れ戸。
【請求項１６】
蝶番(10)が、第１の連結具(2)を、連結軸(4)を介して第１の本体(1A)と第２の本体(1B)に連結される連結プレート部(2A)の外周に沿って周壁(2B)を設けた構造としており、この周壁(2B)の内側を収納凹部(2C)として、この収納凹部(2C)に第２の連結具(3)を配設している請求項１０に記載される折れ戸。
【請求項１７】
蝶番(10)が、第１の連結具(2)を、連結軸(4)を介して第１の本体(1A)と第２の本体(1B)に連結される連結プレート部(2A)の外周に沿って周壁(2B)を設けた構造としており、この周壁(2B)の外周形状を、第１の本体(1A)と第２の本体(1B)の連結部の表面に沿う形状としている請求項１０に記載される折れ戸。
【請求項１８】
蝶番(10)が、第１の連結具(2)の外周形状を、２つの円形を外周で連結してなる形状とすると共に、第１の本体(1A)と第２の本体(1B)の中間にスリット(8)を設けており、このスリット(8)が第１の連結具(2)の周壁(2B)と対向する部分を、周壁(2B)の外周に沿う形状の凹部(8A)としている請求項１６または１７に記載される折れ戸。
【発明の詳細な説明】
【技術分野】
【０００１】
本発明は、蝶番と、この蝶番を使用している折れ戸に関する。
【背景技術】
【０００２】
折れ戸は、蝶番で複数の扉体を折曲できるように連結している。折れ戸は、裏面に蝶番を固定して、折り畳みできるように連結できる。この構造は押し入れのように裏面が室内に表出しない用途に使用できる。しかしながら、間仕切りのように、両面を室内に表出させる折れ戸に、裏面に固定する蝶番を使用すると、これが外観を悪くする欠点がある。
【０００３】
この欠点は、扉体の上端と下端に固定する蝶番で解消できる。この用途に使用される特別な構造の蝶番は開発されている（特許文献１参照）。
【特許文献１】特開２００２−２４２５２２号公報
【発明の開示】
【発明が解決しようとする課題】
【０００４】
以上の公報に記載される蝶番を図１に示す。この蝶番は、折戸を構成する２枚の扉体の相対する縁端部に固定されている。さらに、蝶番は、同一平面内で互いに噛み合う一対の歯車４１と、一対の歯車４１の中心軸４３をそれぞれ回転自在に保持しつつ両歯車４１の軸間距離を一定に保持する第１のロッド４２と、第１のロッド４２に取り付けられたストッパー保持部材４４と、ストッパー保持部材４４に保持されて歯車４１のリム面に向かって付勢状態で突出するストッパー４５と、一対の歯車４１のリム面またはリム面に重ねて固定された補強板４６の表面における所定位置に形成されたストッパー受部４７とを備える。両歯車４１が所定の噛み合い位置にあるときに、ストッパー保持部材４４から突出したストッパー４５がストッパー受部４７に係合して、両歯車４１の回転が拘束されて、２枚の扉体の折れ角が一定に保持される。
【０００５】
この構造の蝶番は、第１のロッドと歯車で扉体の折れ角を制限する。したがって、歯車の間に異物が挟まれると、扉体をスムーズに開閉できなくなる。この構造の蝶番は、扉体の上下に連結する必要があるので、とくに下部の蝶番の歯車間に異物が挟まれやすく、これがスムーズな開閉を阻害する欠点がある。また、歯車の間に指等を挟むと、極めて危険な状態となる欠点もある。さらに、歯車の歯が劣化し、あるいは衝撃等によって変形したり損傷すると、扉体をスムーズに開閉できなくなってしまう。さらにまた、外周縁に沿って高い精度で多数の歯を設けている歯車は、ロッド等に比較して製造コストが高くなる欠点がある。
【０００６】
本発明は、この欠点を解決することを目的に開発されたものである。本発明の重要な目的は、極めて簡単な構造で扉体を折曲でき、しかも歯車のように異物や指等を挟まない構造として、スムーズに開閉できる蝶番とこの蝶番を使用している折れ戸を提供することにある。
【課題を解決するための手段】
【０００７】
本発明の蝶番は、第１の連結具２と第２の連結具３からなる２つの連結具を介して、相対的に折曲できるように第１の本体１Ａと第２の本体１Ｂを連結している。第１の連結具２は、折曲される面内で回動できるように、一端を第１の本体１Ａに、他端を第２の本体１Ｂに連結軸４を介して連結している。第２の連結具３は、折曲される面内で回動できるように、一端を第１の本体１Ａに、他端を第２の本体１Ｂに連結軸５を介して連結している。第１の連結具２と第２の連結具３は、互いに干渉することなく連結軸４、５の軸方向にずれて配置している。さらに、第１の連結具２と第２の連結具３は、第１の本体１Ａと第２の本体１Ｂの折曲面内の異なる位置に連結して、第１の本体１Ａと第２の本体１Ｂを、少なくとも互いに平行な姿勢から直線状に配置される姿勢まで方向を１８０度変化できるように連結している。蝶番は、第１の連結具２と第２の連結具３からなる２つの連結具でもって、折曲面内で回動できるように第１の本体１Ａと第２の本体１Ｂを連結している。
【０００８】
本発明の折れ戸は、蝶番１０を介して複数の扉体２０を折曲できるように連結している。折れ戸は、蝶番１０が第１の連結具２と第２の連結具３からなる２つの連結具を介して、相対的に折曲できるように第１の本体１Ａと第２の本体１Ｂを連結している。第１の連結具２は、折曲される面内で回動できるように、一端を第１の本体１Ａに、他端を第２の本体１Ｂに連結軸４を介して連結している。第２の連結具３は、折曲される面内で回動できるように、一端を第１の本体１Ａに、他端を第２の本体１Ｂに連結軸５を介して連結している。第１の連結具２と第２の連結具３は、互いに干渉することなく連結軸４、５の軸方向にずれて配置している。さらに、第１の連結具２と第２の連結具３は、第１の本体１Ａと第２の本体１Ｂの折曲面内の異なる位置に連結して、第１の本体１Ａと第２の本体１Ｂを、少なくとも互いに平行な姿勢から直線状に配置される姿勢まで方向を１８０度変化できるように連結している。折れ戸は、第１の連結具２と第２の連結具３からなる２つの連結具でもって、折曲面内で回動できるように第１の本体１Ａと第２の本体１Ｂを連結している。
【０００９】
蝶番は、第１の連結具２を第１の本体１Ａと第２の本体１Ｂの幅方向の中央に連結して、第２の連結具３を第１の連結具２の連結軸４から半径方向にずれた位置に連結することができる。
【００１０】
蝶番は、第１の本体１Ａと第２の本体１Ｂを直線状とする状態で、第１の連結具２と第２の連結具３が交差するように第１の本体１Ａと第２の本体１Ｂに連結することができる。
【００１１】
蝶番は、第１の本体１Ａと第２の本体１Ｂの中間にスリット８を設けて、このスリット８内に第１の連結具２と第２の連結具３を配設することができる。さらに、蝶番は、スリット８の開口部に、第１の本体１Ａと第２の本体１Ｂの折曲角を制限するストッパ１２を設けることができる。
【００１２】
蝶番は、第１の連結具２と第２の連結具３を、板状のロッドとすることができる。
【００１３】
蝶番は、第１の連結具２を、連結軸４を介して第１の本体１Ａと第２の本体１Ｂに連結される連結プレート部２Ａの外周に沿って周壁２Ｂを設けた構造とし、この周壁２Ｂの内側を収納凹部２Ｃとして、この収納凹部２Ｃに第２の連結具３を配設することができる。
【００１４】
蝶番は、第１の連結具２を、連結軸４を介して第１の本体１Ａと第２の本体１Ｂに連結される連結プレート部２Ａの外周に沿って周壁２Ｂを設けた構造とし、この周壁２Ｂの外周形状を、第１の本体１Ａと第２の本体１Ｂの連結部の表面に沿う形状とすることができる
【００１５】
さらに、蝶番は、第１の連結具２の外周形状を、２つの円形を外周で連結してなる形状とすると共に、第１の本体１Ａと第２の本体１Ｂの中間にスリット８を設けて、このスリット８が第１の連結具２の周壁２Ｂと対向する部分を、周壁２Ｂの外周に沿う形状の凹部８Ａとすることができる。
【発明の効果】
【００１６】
本発明の蝶番と折れ戸は、極めて簡単な構造で扉体を折曲でき、しかも歯車のように異物や指等を挟まない構造として、スムーズに開閉できる特長がある。それは、本発明の蝶番が、第１の連結具と第２の連結具からなる２つの連結具を介して、第１の本体と第２の本体とを相対的に折曲できるように連結する独特の構造としており、本発明の折り戸が、この蝶番を介して複数の扉体を折曲できるように連結しているからである。本発明の蝶番は、第１の連結具の両端と第２の連結具の両端を、それぞれ連結軸を介して第１の本体と第２の本体とに連結しており、第１の連結具と第２の連結具を、互いに干渉することなく連結軸の軸方向にずらして配置すると共に、第１の連結具と第２の連結具の連結軸を折曲面内の異なる位置に連結して、第１の本体と第２の本体を、少なくとも互いに平行な姿勢から直線状に配置される姿勢まで方向を１８０度変化できるように連結している。この構造の蝶番は、従来の蝶番のように歯車を使用することなく、２つの連結具を介して第１の本体と第２の本体とを折曲できるように連結するので、極めて簡単な構造としてスムーズに開閉できる。したがって、本発明の蝶番と折り戸は、開閉時に異物や指等を挟む弊害を極減してスムーズかつ安全に開閉できる構造としながら、製造コストを低減して安価に多量生産できる特長が実現できる。
【発明を実施するための最良の形態】
【００１７】
以下、本発明の実施例を図面に基づいて説明する。ただし、以下に示す実施例は、本発明の技術思想を具体化するための蝶番と折れ戸を例示するものであって、本発明は蝶番と折れ戸を以下のものに特定しない。
【００１８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
図２ないし図５に示す折れ戸は、部屋の間仕切りに使用される。この折れ戸は、２枚の扉体２０を蝶番１０で連結して一対の折戸ユニット３０とし、３組の折戸ユニット３０で間仕切りを設けている。３組の折戸ユニット３０が平面状に開かれて、部屋を区画する間仕切りとなる。部屋を区画しないときは、折戸ユニット３０を蝶番１０で折り畳み、すなわち、扉体２０を平行な姿勢として、部屋の片方に折り畳み状態で配置する。各々の扉体２０は、上端に吊りピン１５を固定している。吊りピン１５は、天井に固定しているレール１６に走行できるように連結されている。この扉体２０は、吊りピン１５を介して、天井に走行できる吊り下げ状態で連結される。
【００２０】
吊りピン１５は、上端をＴ字状に分岐して、分岐端に走行車輪１７を連結している。走行車輪１７が溝型レール１６を走行して、扉体２０を天井に走行できるように連結している。さらに、図に示す扉体２０は、下端にも走行車輪１９を連結し、この走行車輪１９を床に固定しているレール１８に沿って走行できる構造としている。ただ、図示しないが、扉体は、下端に走行車輪を連結することなく、上端に連結した走行車輪でのみ走行できる構造とすることもできる。この構造は、床面にレールを設けることなく、天井に設けたレールに沿って扉体を移動させるので、床面をすっきりとした外観にできる特長がある。
【００２１】
扉体２０は、上枠２１Ａと下枠２１Ｂの両端を縦枠２１Ｃで連結している四角形の枠体２１を有し、枠体２１の内側に表面板２２を固定している。さらに、図に示す扉体２０は、上枠２１Ａと下枠２１Ｂの中間に、中間枠２１Ｄを配設している。中間枠２１Ｄを有する扉体２０は、全体を補強して強固にできる特長がある。ただ、中間枠は省略することもできる。上枠２１Ａと下枠２１Ｂと縦枠２１Ｃと中間枠２１Ｄはアルミニウムの引き抜き材である。図４と図６ないし図８に示す上枠２１Ａと下枠２１Ｂと中間枠２１Ｄは、上面と下面に溝２３を設ける形状とし、縦枠２１Ｃを連結する止ネジ２４をねじ込むために、底プレート２５の表面に一対のリブ２６を設けている。一対のリブ２６は、内形を止ネジ２４をねじ込むことができる形状としている。縦枠２１Ｃは、上枠２１Ａと下枠２１Ｂと中間枠２１Ｄに対向する面を溝型とし、隣接する扉体２０に対向する側を湾曲面２７としている。対向面を湾曲面２７とする縦枠２１Ｃは、相対的に折曲されて、隙間を一定ないしほぼ一定にできる。このため、折曲させる全ての状態において、ほとんど隙間ができないようにできる。ただ、湾曲面は、扉体を直線状にする状態では隙間がなく、直線状でない折曲状態では隙間ができる形状とすることもできる。また、扉体を直線状にする状態で隙間ができる湾曲面は、中心部に位置して、縦方向に延長してゴム状弾性体の隙間閉塞材（図示せず）を設け、この隙間閉塞材で直線状の扉体の隙間を塞ぐこともできる。
【００２２】
図の枠体２１は、縦枠２１Ｃの底プレート２８を貫通する止ネジ２４を上枠２１Ａや下枠２１Ｂや中間枠２１Ｄのリブ２６間にねじ込んで、縦枠２１Ｃの上下端を上枠２１Ａと下枠２１Ｂに連結し、縦枠２１Ｃの中間を中間枠２１Ｄに連結している。さらに、縦枠２１Ｃは、蝶番１０を固定するために、上端と下端と中間に切欠部２９を設けている。切欠部２９は、図６ないし図８に示すように、湾曲部とその両側を切欠して設けられる。切欠部２９に配置される蝶番１０は、底プレート２８を貫通する止ネジ２４で縦枠２１Ｃに固定される。
【００２３】
蝶番１０を図９ないし図１８に示す。図９ないし図１１は同じ蝶番１０を示しており、図１２ないし図１８は他の実施例の蝶番を示し、図１６ないし図１８は同じ蝶番１０を示している。図９と図１６は斜視図であり、図１０と図１７は分解斜視図、図１１ないし図１５及び図１８は折曲できる状態を示す。これ等の図に示す蝶番１０は、互いに折曲できるように連結される扉体２０に固定される一対の本体１、すなわち第１の本体１Ａ及び第２の本体１Ｂと、第１の本体１Ａと第２の本体１Ｂを折曲できるように連結する２つの連結具である第１の連結具２と第２の連結具３を備える。
【００２４】
第１の本体１Ａと第２の本体１Ｂは、プラスチックを成形して、あるいは金属を鋳造又は切削して製作される。第１の本体１Ａと第２の本体１Ｂは、縦枠２１Ｃと同じように、互いに対向する面を湾曲面７としている。湾曲面７は、縦枠２１Ｃの湾曲面２７に沿う形状としている。湾曲面７を縦枠２１Ｃの湾曲面２７に沿う形状とする本体１は、縦枠２１Ｃと一体となって外観をすっきりと綺麗にできる。また、第１の本体１Ａと第２の本体１Ｂの湾曲面７の間にできる隙間を、縦枠２１Ｃの隙間と同じにできる。ただし、第１の本体と第２の本体の湾曲面は、必ずしも縦枠の湾曲面に沿う形状とする必要はない。ただ、縦枠の中間に固定する蝶番は、第１の本体と第２の本体の湾曲面を縦枠の湾曲面に沿う形状として外観を綺麗にするのが良い。第１の本体１Ａと第２の本体１Ｂの湾曲面７の隙間は、扉体２０を折曲させる状態で、たとえば０．２〜５ｍｍとなるようにする。
【００２５】
第１の本体１Ａと第２の本体１Ｂは、上下の中間にスリット８を設けて、スリット８内に第１の連結具２と第２の連結具３を配設している。図１０と図１７の蝶番１０は、第１の本体１Ａと第２の本体１Ｂを、上下に分割された本体片６で構成し、本体片６を固定している。図の本体１は、上下の本体片６をネジ９で固定している。本体片は、接着して固定し、あるいは嵌着構造（図示せず）で固定することもできる。図の本体１は、同じ形状の本体片６を連結して、第１の本体１Ａと第２の本体１Ｂを製作している。本体片６を同じ構造とする蝶番１０は、本体片６を安価に多量生産できる。ただし、本体片は、必ずしも同じ形状としてこれを固定して製作する必要はない。たとえば、上下の本体片の一方を板状とし、他方の本体片に段差を設け、これを連結して本体にスリットを設けることもできる。また、蝶番は、第１の本体と第２の本体をひとつの部品として製作することもできる。この構造の本体は、間にスリットを設けて、第１の連結具と第２の連結具を配設する。さらに、本体には必ずしもスリットを設ける必要はない。本体の上面又は下面に第１の連結具と第２の連結具を連結できるからである。ただし、この構造の蝶番は、縦枠の上端に固定するものには本体の上面に第１の連結具と第２の連結具を連結し、縦枠の下端に固定するものは、本体の下面に第１の連結具と第２の連結具を連結する。
【００２６】
第１の連結具２と第２の連結具３は、第１の本体１Ａと第２の本体１Ｂとにそれぞれ独立して連結されて、第１の本体１Ａと第２の本体１Ｂを互いに連結する。図９ないし図１５に示す蝶番１０は、第１の連結具２と第２の連結具３を板状のロッドとしており、このロッドの両端を第１の本体１Ａと第２の本体１Ｂに連結している。板状のロッドである第１の連結具２と第２の連結具３は、たとえば、金属プレートとすることができる。金属プレートである連結具は、厚さを薄くして充分な強度とすることができる。このように、連結具を金属プレートとする蝶番１０は、スリット８の幅を狭くして外観を良くすることができる。
【００２７】
さらに、連結具は、図１７に示す構造とすることもできる。この図に示す蝶番１０は、第１の連結具２を、連結プレート部２Ａの外周縁に沿って周壁２Ｂを設けた構造としている。周壁２Ｂは、その高さを、スリット８全体の幅とほぼ等しくし、あるいはやや小さくして、第１の連結具２をスリット８の内側に配設できるようにしている。この図に示す第１の連結具２は、周壁２Ｂの内側を収納凹部２Ｃとして、この収納凹部２Ｃに第２の連結具３を配設している。この構造の蝶番１０は、周壁２Ｂの内側に第２の連結具３を配設するので、外部から第２の連結具３を見えなくして、蝶番１０の外観を良くできる。図１７の蝶番１０は、第１の連結具２を、上方に開口部を有する姿勢で配置して、上方開口の収納凹部２Ｃに第２の連結具３を配設している。したがって、この蝶番１０は、たとえば、扉体２０の上端側の連結部に配設して、外側から収納凹部２Ｃが見えない美しい外観とすることができる。さらに、扉体の下端側の連結部に配設する蝶番には、図１７に示す蝶番の第１の連結具と第２の連結具とを上下反転して連結してなる蝶番を配設して、外側から収納凹部が見えない美しい外観とすることができる。この蝶番は、第１の連結具を、開口部を下向きとする姿勢で上側の本体片に連結して、下方開口の収納凹部に第２の連結具を配設する状態で下側の本体片を連結する。
【００２８】
図１７に示す第１の連結具２は、連結プレート部２Ａの外周を、２つの円形を連結した形状として略８の字型としており、図１６に示すように、周壁２Ｂの外周を第１の本体１Ａと第２の本体１Ｂの連結部の表面である湾曲面７の外形に沿う形状としている。第１の本体１Ａと第２の本体１Ｂは、図１７に示すように、スリット８の底部であって、第１の連結具２の周壁２Ｂに対向する部分を凹部８Ａとして、この凹部８Ａに第１の連結具２の両端部である円形突出部を配置している。図１７に示す凹部８Ａは、第１の連結具２の外周に沿う湾曲形状としている。図の第１の連結具２は外周を略８の字型としているので、２つのスリット８は、凹部８Ａの内形を半円形として、この凹部８Ａに第１の連結具２の円形突出部を配置している。ただ、この凹部の形状は、必ずしも半円形状とする必要はなく、略８の字型の外形を有する第１の連結具の円形突出部を回動できるように配設できる形状、たとえば、溝型や多角形状とすることもできる。スリット８の凹部８Ａを半円形状とする本体１は、図１８に示すように、周壁２Ｂの外周をスリット８の凹部８Ａに沿う状態で第１の連結具２を回動させる。以上の構造の第１の連結具２は、本体１に対して回動させる状態においても、周壁２Ｂの外周面を本体１の湾曲面７に沿う外観にできるので、第１の連結具２と本体１の境界部分を段差や凹凸の少ない綺麗な外観にできる特長がある。
【００２９】
以上の第１の連結具２は、折曲される面内で回動できるように一端を第１の本体１Ａに、他端を第２の本体１Ｂに連結軸４を介して連結している。また、第２の連結具３は、折曲される面内で回動できるように一端を第１の本体１Ａに、他端を第２の本体１Ｂに連結軸５を介して連結している。第１の連結具２と第２の連結具３は、図１１ないし図１５及び図１８においては、紙面に平行な面内において回動できるように、第１の本体１Ａと第２の本体１Ｂに、両端を連結軸４、５で連結している。
【００３０】
さらに、第１の連結具２と第２の連結具３は、互いに干渉することなく、本体１に対して回動できるように、連結具を連結している連結軸４、５の軸方向にずらせて、本体１に連結している。図１０の蝶番１０は、第１の連結具２を上の本体片６に回動できるように連結し、第２の連結具３を下の本体片６に回動できるように連結し、第２の連結具３を第１の連結具２の下方に干渉しないように連結している。また、図１７の蝶番１０は、第１の連結具２を下の本体片６に回動できるように連結し、第２の連結具３を上の本体片６に回動できるように連結し、第２の連結具３を第１の連結具２の上方に干渉しないように連結している。
【００３１】
第１の連結具２と第２の連結具３は、連結軸４、５を介して本体片６に回転できるように連結している。図１０の蝶番１０は、連結軸４、５を第１の連結具２や第２の連結具３に先端をねじ込んで連結するネジとしている。このネジは、本体片６に設けた貫通孔１１に、回転できるように挿通されて、第１の連結具２や第２の連結具３を回転できるように連結している。また、図１７の蝶番１０は、連結軸４、５を、本体片６に先端をねじ込んで連結するネジとしている。このネジは、第１の連結具２に設けた貫通孔に挿通されて、下側の本体片６にねじ込まれて、第１の連結具２を回動できるように本体片６に連結すると共に、第２の連結具３に設けた貫通孔に挿通されて、上側の本体片６にねじ込まれて、第２の連結具２を回動できるように本体片６に連結している。とくに、図１７に示す蝶番１０は、第１の連結具２を、内側に収納凹部２Ｃを有する形状としているので、第１の連結具２と第２の連結具３を本体片６に連結するネジを、スリット８の内側から本体片６にねじ込む構造として、このネジを外部から見えなくできる。
【００３２】
第１の連結具２と第２の連結具３は、図１１ないし図１５及び図１８に示すように、第１の本体１Ａと第２の本体１Ｂの折曲面内の異なる位置に連結されて、第１の本体１Ａと第２の本体１Ｂを、少なくとも互いに平行な姿勢から直線状に配置される姿勢まで方向を１８０度変化できるように連結している。図１１ないし図１４及び図１８の蝶番１０は、平行な姿勢から直線状に配置される姿勢まで、方向を１８０度変化できるように、第１の本体１Ａと第２の本体１Ｂに第１の連結具２と第２の連結具３を連結している。また、図１５の蝶番１０は、平行な姿勢から直線状に配置される姿勢となり、さらに平行な姿勢となるまで、方向を３６０度姿勢変化できるように連結している。
【００３３】
図１０、図１１、図１４、図１７及び図１８に示す蝶番１０は、第１の連結具２の端部を、第１の本体１Ａと第２の本体１Ｂの幅方向の中央に連結している。さらに、図１０と図１１及び図１７と図１８の蝶番１０は、第１の本体１Ａと第２の本体１Ｂの対向面を湾曲面７として、湾曲面７の中心部に第１の連結具２を連結している。いいかえると、湾曲面７を、第１の連結具２の連結軸４を中心とする半円筒に沿う形状としている。この蝶番１０は、第１の本体１Ａと第２の本体１Ｂを直線状にする状態で、湾曲面７を接近させるために、第１の連結具２の長さを湾曲面７の直径にほぼ等しくしている。ただし、本明細書で第１の連結具２の長さとは、端から端までの全長でなく、第１の本体１Ａと第２の本体１Ｂの折曲中心に連結している各連結軸４の中心距離を意味する。第１の連結具の長さが湾曲面の直径より大きい場合、その差が扉体を直線状にする姿勢での湾曲面の隙間となる。したがって、第１の連結具の長さで、直線姿勢における第１の本体と第２の本体の間の隙間を調整できる。
【００３４】
以上の蝶番１０は、第１の本体１Ａと第２の本体１Ｂの幅方向の中央部を折曲中心として、ここに第１の連結具２を連結している。本発明の蝶番１０は、図１２、図１３、図１５に示すように、第１の連結具２の端部を、第１の本体１Ａと第２の本体１Ｂの幅方向の中心でなくて、一方に偏在する位置に連結することもできる。これ等の蝶番１０は、対向面を、第１の連結具２の連結軸４を中心とする円筒状としないで、第１の本体１Ａと第２の本体１Ｂの対向面を、所定の角度に折曲する状態で、互いに隙間ができない形状、あるいは隙間が狭くなる形状とする。蝶番１０は、第１の本体１Ａと第２の本体１Ｂを直線状とする姿勢で、対向面に隙間ができないが、第１の本体１Ａと第２の本体１Ｂとが直線状でない姿勢では隙間ができる形状とすることができる。
【００３５】
第１の連結具２と第２の連結具３の長さと連結点は、互いに折曲される第１の本体１Ａと第２の本体１Ｂの相対的な姿勢を特定する。第２の連結具３は、第１の連結具２の端部を第１の本体１Ａと第２の本体１Ｂに連結する各連結軸４の位置から離れた位置であって、第１の本体１Ａと第２の本体１Ｂを少なくとも１８０度折曲できる位置に連結される。さらに、第２の連結具３の長さは、第２の本体１Ｂを第１の連結具２の対向面に沿って少なくとも１８０度折曲できる長さに設定する。ただし、本明細書で第２の連結具３の長さとは、端から端までの全長でなく、第１の本体１Ａと第２の本体１Ｂの折曲中心に連結している各連結軸５の中心距離を意味する。
【００３６】
図１１と図１８の蝶番１０は、第１の本体１Ａと第２の本体１Ｂを直線状とする状態と、平行な姿勢に折り畳む状態とで、第１の連結具２と第２の連結具３とが交差するように本体１に連結している。これらの図に示すように、第１の本体１Ａと第２の本体１Ｂを平行な姿勢に折り畳む状態で、扉体２０の縦方向に伸びる中心線Ａと、この中心線Ａに直交する垂線Ｂとで第１の本体１Ａと第２の本体１Ｂの平面を第１領域〜第４領域に分割できる。第１の本体１Ａは、第２の本体１Ｂと対向する側面と中心線Ａと垂線Ｂとで囲まれる領域（図１１と図１８において第１の本体１Ａの連結軸４の右下部に相当）を第１領域とし、この領域から半時計廻りに第２領域〜第４領域とし、第２の本体１Ｂは、第１の本体１Ａと対向する側面と中心線Ａと垂線Ｂとで囲まれる領域（図１１と図１８において、第１の本体１Ａと平行姿勢にある第２の本体１Ｂの連結軸４の左下部に相当）を第４領域として、半時計廻りに第１領域〜第４領域とすることができる。以上のように、第１の本体１Ａと第２の本体１Ｂを第１領域〜第４領域に分割するとき、第２の連結具３は、第１の本体１Ａの第１領域と、第２の本体１Ｂの第２領域に連結される。
【００３７】
同様に、図１３と図１４に示す蝶番１０においても、第１の本体１Ａと第２の本体１Ｂを第１領域〜第４領域に分割するとき、第２の連結具３は、第１の本体１Ａの第１領域と、第２の本体１Ｂの第２領域に連結している。このように、第２の連結具３の一方の連結点を第２の本体１Ｂの第２領域に配置する構造は、第２の本体１Ｂを第１の本体１Ａに沿って折曲するときに、第２の本体１Ｂの連結軸５を連結軸４に対して先行する状態で移動できるので、スムーズに折曲できる特長がある。ただ、第２の連結具３は、図１２に示すように、第１の本体１Ａの第２領域と、第２の本体１Ｂの第１領域に連結することも、あるいは、図１５に示すように、平行な姿勢に折り畳んだ第１の本体１Ａと第２の本体１Ｂの中心線Ａに直交する垂線Ｂ上に連結することもできる。
【００３８】
さらに、図１１と図１８の蝶番１０は、第１の本体１Ａと第２の本体１Ｂで、折曲中心である連結軸４を中心とする同一ないしほぼ同じ半径の円弧上に第２の連結具３の両端を連結している。また、この図の蝶番１０は、第１の本体１Ａと第２の本体１Ｂとを直線上に開く状態で、第１の本体１Ａと第２の本体１Ｂの中心線Ａに対して、約４５度の角度をなす線上に、第２の連結具３の端部を連結している。すなわち、図の第２の連結具３は、中心線Ａに対して４５度の角度をなす傾斜直線と、第１の本体１Ａと第２の本体１Ｂの同じ半径の円弧との交点に位置し、かつ第１の本体１Ａの第１領域に一端を連結し、他端を第２の本体１Ｂの第２領域に連結している。
【００３９】
これらの蝶番１０は、従来の歯車を噛み合わせて折曲される蝶番に近似する状態で、第１の本体１Ａと第２の本体１Ｂとを傾動できる特徴がある。ただし、蝶番は、第１の本体と第２の本体とで、第２の連結具の両端を、必ずしも連結軸を中心とする同一ないしほぼ同じ半径の円弧上に連結する必要はない。また、第２の連結具３の端部を、中心線Ａに対して３０〜６０度の角度をなす線上に連結することもできる。
【００４０】
以上の蝶番１０は、図に示すように、平行な姿勢から直線状の姿勢に傾動でき、直線状の姿勢で停止される。すなわち、本体１を１８０度相対的に傾動できる。さらに、蝶番１０は、第１の本体１Ａと第２の本体１Ｂの折曲角を制限するストッパ１２を設けることができる。図１３に示す蝶番１０は、第１の本体１Ａと第２の本体１Ｂを直線状に開いた状態で、第１の連結具２の側面が当接するストッパ１２を第１の本体１Ａに設けている。図に示すストッパ１２は、第１の本体１Ａの本体片６に一体的に設けたストッパ壁１２Ａである。この蝶番１０は、第１の本体１Ａと第２の本体１Ｂを１８０度を越えて傾動させようとすると、第１の連結具２がストッパ壁１２Ａに当接して、傾動が阻止される。ただ、蝶番１０は、図１２に示すように、第１の本体１Ａにストッパピン１２Ｂを固定してストッパ１２とすることもできる。
【００４１】
さらに、図１４に示す蝶番１０は、第１の本体１Ａと第２の本体１Ｂとを１８０度を越えて傾動させようとすると、第１の本体１Ａと第２の本体１Ｂとが接触して傾動が阻止される構造としている。この蝶番１０は、第１の本体１Ａと第２の本体１Ｂが傾動するときの内側の対向面と反対側に位置する外側のコーナー部を湾曲面とすることなく直角のコーナー部としている。この蝶番１０は、第１の本体１Ａと第２の本体１Ｂとを直線状に開いた状態では、第１の本体１Ａと第２の本体１Ｂの対向する直角のコーナー部が接触して傾動が停止される。このため、この蝶番１０は、ストッパを設けることなく、１８０度で傾動を停止できる特長がある。
【図面の簡単な説明】
【００４２】
【図１】従来の蝶番の一例を示す分解斜視図である。
【図２】本発明の一実施例にかかる折れ戸の斜視図である。
【図３】図２に示す折れ戸の平面図である。
【図４】図２に示す折れ戸の垂直断面図である。
【図５】図２に示す折れ戸の折れ戸ユニットの正面図である。
【図６】図５に示す折れ戸ユニットの分解斜視図である。
【図７】図６に示す折れ戸ユニットの枠体と蝶番の連結構造を示す分解斜視図である。
【図８】枠体の連結構造を示す分解斜視図である。
【図９】本発明の一実施例にかかる蝶番の斜視図である。
【図１０】図９に示す蝶番の分解斜視図である。
【図１１】図９に示す蝶番が傾動する状態を示す概略平面図である。
【図１２】本発明の他の実施例にかかる蝶番が傾動する状態を示す概略平面図である。
【図１３】本発明の他の実施例にかかる蝶番が傾動する状態を示す概略平面図である。
【図１４】本発明の他の実施例にかかる蝶番が傾動する状態を示す概略平面図である。
【図１５】本発明の他の実施例にかかる蝶番が傾動する状態を示す概略平面図である。
【図１６】本発明の他の実施例にかかる蝶番の斜視図である。
【図１７】図１６に示す蝶番の分解斜視図である。
【図１８】図１６に示す蝶番が傾動する状態を示す概略平面図である。
【符号の説明】
【００４３】
１…本体                １Ａ…第１の本体        １Ｂ…第２の本体
２…第１の連結具        ２Ａ…本体プレート部    ２Ｂ…周壁
２Ｃ…収納凹部
３…第２の連結具
４…連結軸
５…連結軸
６…本体片
７…湾曲面
８…スリット            ８Ａ…凹部
９…ネジ
１０…蝶番
１１…貫通孔
１２…ストッパ          １２Ａ…ストッパ壁      １２Ｂ…ストッパピン
１５…吊りピン
１６…レール
１７…走行車輪
１８…レール
１９…走行車輪
２０…扉体
２１…枠体              ２１Ａ…上枠            ２１Ｂ…下枠
２１Ｃ…縦枠            ２１Ｄ…中間枠
２２…表面板
２３…溝
２４…止ネジ
２５…底プレート
２６…リブ
２７…湾曲面
２８…底プレート
２９…切欠部
３０…折戸ユニット
４１…歯車
４２…第１のロッド
４３…中心軸
４４…ストッパー保持部材
４５…ストッパー
４６…補強板
４７…ストッパー受部
【図１】
2006241762.tif 000003
【図２】
2006241762.tif 000004
【図３】
2006241762.tif 000005
【図４】
2006241762.tif 000006
【図５】
2006241762.tif 000007
【図６】
2006241762.tif 000008
【図７】
2006241762.tif 000009
【図８】
2006241762.tif 000010
【図９】
2006241762.tif 000011
【図１０】
2006241762.tif 000012
【図１１】
2006241762.tif 000013
【図１２】
2006241762.tif 000014
【図１３】
2006241762.tif 000015
【図１４】
2006241762.tif 000016
【図１５】
2006241762.tif 000017
【図１６】
2006241762.tif 000018
【図１７】
2006241762.tif 000019
【図１８】
2006241762.tif 000020